(57)【要約】【課題】蓋の開閉を繰り返した場合にも、壁における点検口の周囲縁に傷がついたり凹みが生じたりすることを抑制できる壁点検口装置を提供する。【解決手段】壁点検口装置は、壁１に開口された点検口に対して着脱可能な蓋を備える。蓋の下枠部は、アルミニウム合金製の下枠部材２２により構成されている。壁１における点検口の下側周面には、蓋案内部材１４が固定されている。蓋案内部材１４は、蓋の取り外し時において、下枠部材２２を案内する部材である。蓋案内部材２２は、−Ｘ側から順に、第１傾斜部１４ｂ、第２傾斜部１４ｃ、立壁部１４ｄ、及び掛止部１４ｉを有する。蓋の取り外し時において、下枠部材２２の鉤部２２ｄは、第１傾斜部１４ｂから第２傾斜部１４ｃを経て、掛止部１４ｉまで摺動する。鉤部２２ｄが掛止部１４ｉで掛止されると、掛止された鉤部２２ｄを支点に蓋が回動する。【選択図】図８
2019039193.tif 000002
【特許請求の範囲】
【請求項１】
室内と壁裏とを仕切る壁に開口された点検口に対して、着脱可能な蓋と、
前記壁における前記点検口の下側周面に設けられ、前記点検口から前記蓋を取り外す際の当該蓋の下枠部を案内する蓋案内部材と、
を備え、
前記蓋案内部材は、
前記蓋の取り外し時において、前記蓋の下枠部を、前記室内側で、且つ、上方へと案内する第１傾斜部と、
前記第１傾斜部よりも前記室内側に形成され、前記蓋の取り外し時において、前記蓋の下枠部を、前記室内側で、且つ、下方へと案内する第２傾斜部と、
前記第２傾斜部に対して前記室内側に形成され、上方に向けて立設された立壁部と、
前記第２傾斜部と前記立壁部とが突き合わされる隅部分に設けられ、前記蓋が回動可能なように前記蓋の下枠部を掛止する掛止部と、
を有する、
壁点検口装置。
【請求項２】
請求項１に記載の壁点検口装置であって、
前記第１傾斜部と前記第２傾斜部とが突き合わされる頂部は、曲面で構成されている、
壁点検口装置。
【請求項３】
請求項２に記載の壁点検口装置であって、
前記立壁部は、その上端部分が前記頂部と同じ高さ位置となるように設けられている、
壁点検口装置。
【請求項４】
請求項３に記載の壁点検口装置であって、
前記蓋の下枠部は、前記点検口の下側周面に沿って壁裏側に延びる平板状の基部と、当該基部に連続し、下向き鉤状に形成された鉤部と、を有し、
前記蓋の取り外し時において、前記鉤部は、前記第１傾斜部及び前記第２傾斜部を摺動するとともに、前記掛止部で掛止された状態では前記回動に係る支点となる、
壁点検口装置。
【請求項５】
請求項１から請求項４の何れかに記載の壁点検口装置であって、
前記蓋案内部材は、前記立壁部の上端部分から前記壁裏側に向けて突出形成され、前記掛止部の上方を庇状に覆う庇部を更に有している、
壁点検口装置。
【請求項６】
請求項１から請求項５の何れかに記載の壁点検口装置であって、
前記蓋案内部材は、前記立壁部の前記室内側の部分から前記点検口の前記下側周面の一部を覆うように前記室内側に向けて延設された被覆部と、前記被覆部の前記室内側の端部から下方に向けて曲折され、点検口の下側の周囲縁の一部を覆うように形成された外面部と、を更に有する、
壁点検口装置。
【請求項７】
請求項６に記載の壁点検口装置であって、
前記立壁部は、前記壁の厚み方向の中心よりも前記壁裏側に配されている、
壁点検口装置。
【請求項８】
請求項１から請求項７の何れかに記載の壁点検口装置であって、
前記蓋の側枠部には、両先端が前記壁裏側に向けて延びるキックバネが取り付けられており、
前記壁における前記点検口の側周面には、前記キックバネの両先端を掛止するバネ受け部材が設けられている、
壁点検口装置。
【発明の詳細な説明】
【技術分野】
【０００１】
本発明は、壁点検口装置に関する。
【背景技術】
【０００２】
建物の壁には、その裏に配索された配線や配管、あるいは計器類を点検するための点検口が開口されている。通常時おいて、点検口は蓋で塞がれており、点検や修理の際に蓋を取り外すことができるようになっている。
【０００３】
上記のような壁点検口装置の一例として、特許文献１には、点検口を塞ぐ蓋として補強枠部材が裏面に接合された点検口蓋が開示されている。特許文献１の点検口蓋の裏面には、キックバネ（トーションバネ）が取り付けられている。また、壁における点検口の周囲の側周面には、キックバネを掛止するための掛止具が固定されている。
【０００４】
特許文献１の壁点検口装置において、点検口蓋を取り外す際には、先ず、点検口蓋の上枠部を室内側に引き出す。これにより、点検口蓋の下枠部を支点に点検口蓋が回動する。点検口蓋の回動は、キックバネが掛止具に掛止されるまでなされる。そして、この後、作業者が掛止具からキックバネを取り外し、点検口蓋を点検口から完全に取り外すことができる。
【先行技術文献】
【特許文献】
【０００５】
【特許文献１】実用新案登録第３１２１６３２号公報
【発明の概要】
【発明が解決しようとする課題】
【０００６】
しかしながら、特許文献１の壁点検口装置では、点検口蓋の開閉を繰り返す内に、点検口蓋の下枠部の接触により壁における点検口の下側の周囲縁が傷ついたり凹んだりすることが考えられる。即ち、特許文献１のように、点検口から点検口蓋を取り外す際に、点検口蓋を下枠部を支点に回動させる場合に、下枠部の一部が壁における点検口の下側の周囲縁に接触する場合がある。そして、このような下枠部の周囲縁への接触が繰り返されることにより、周囲縁に傷がついたり、凹みが生じたりする場合がある。
【０００７】
本発明は、上記のような問題を解決しようとなされたものであって、蓋の開閉を繰り返した場合にも壁における点検口の周囲縁に傷がついたり凹みが生じたりすることを抑制できる壁点検口装置を提供することを目的とする。
【課題を解決するための手段】
【０００８】
本発明の一態様に係る壁点検口装置は、室内と壁裏とを仕切る壁に開口された点検口に対して、着脱可能な蓋と、前記壁における前記点検口の下側周面に設けられ、前記点検口から前記蓋を取り外す際の当該蓋の下枠部を案内する蓋案内部材と、を備え、前記蓋案内部材は、前記蓋の取り外し時において、前記蓋の下枠部を、前記室内側で、且つ、上方へと案内する第１傾斜部と、前記第１傾斜部よりも前記室内側に形成され、前記蓋の取り外し時において、前記蓋の下枠部を、前記室内側で、且つ、下方へと案内する第２傾斜部と、前記第２傾斜部に対して前記室内側に形成され、上方に向けて立設された立壁部と、前記第２傾斜部と前記立壁部とが突き合わされる隅部分に設けられ、前記蓋が回動可能なように前記蓋の下枠部を掛止する掛止部と、を有する。
【０００９】
上記態様に係る壁点検口装置では、壁における下側周面に、第１傾斜部と第２傾斜部と立壁部と掛止部とを有する蓋案内部材が設けられている。このため、作業者が蓋の上枠部を室内側に引っ張り、点検口から蓋を取り外す場合には、蓋の下枠部が第１傾斜部を摺動する区間で、蓋が上方に持ち上げられながら室内側へと案内される。
【００１０】
そして、蓋の下枠部が第２傾斜部を摺動する区間では、蓋が下方に下がりながら室内側に移動する。下枠部が第２傾斜部を摺動する際には、下枠部は立壁部の上端部分でも支持される。このように、下枠部が第２傾斜部を摺動する際に、下枠部が立壁部の上端部分でも支持されることにより、下枠部が第１傾斜部及び第２傾斜部を摺動する区間では蓋の回動が抑制され、当該状態で蓋の下枠部が壁における下側の周囲縁から離間してゆく。よって、蓋の開閉を繰り返した場合にも、下枠部により壁における点検口の周囲縁に傷がついたり、凹みが生じたりするのを抑制することができる。
【００１１】
従って、上記態様に係る壁点検口装置では、蓋の開閉を繰り返した場合にも、壁における点検口の周囲縁に傷がついたり凹みが生じたりすることを抑制できる。
【００１２】
なお、下枠部が金属やセラミックスなど壁よりも硬い材料から構成される場合にも、上記態様に係る構成を採用することにより、点検口の周囲縁に傷がついたり凹みが生じたりすることを抑制できる。
【００１３】
本発明の別態様に係る壁点検口装置は、上記態様であって、前記第１傾斜部と前記第２傾斜部とが突き合わされる頂部は、曲面で構成されている。
【００１４】
上記態様に係る壁点検口装置では、蓋案内部材における頂部が曲面で構成されているので、蓋の下枠部が頂部をスムーズに通過することができ、ユーザによる蓋の取り外しを円滑にすることができる。
【００１５】
本発明の別態様に係る壁点検口装置は、上記態様であって、前記立壁部は、その上端部分が前記頂部と同じ高さ位置となるように設けられている。
【００１６】
上記態様に係る壁点検口装置では、立壁部の上端部分を第１傾斜部と第２傾斜部とが突き合わされる頂部と同じ高さ位置とされているので、蓋の下枠部が第２傾斜部を摺動する際に、蓋が回動し難くなり、壁における点検口の周囲縁への下枠部の接触を更に確実に回避することができる。
【００１７】
本発明の別態様に係る壁点検口装置は、上記態様であって、前記蓋の下枠部は、前記点検口の下側周面に沿って壁裏側に延びる平板状の基部と、当該基部に連続し、下向き鉤状に形成された鉤部と、を有し、前記蓋の取り外し時において、前記鉤部は、前記第１傾斜部及び前記第２傾斜部を摺動するとともに、前記掛止部で掛止された状態では前記回動に係る支点となる。
【００１８】
上記態様に係る壁点検口装置では、鉤部が掛止部で掛止されて、当該鉤部が蓋の回動に係る支点となるので、掛止部で掛止された状態で鉤部を中心として蓋を回動させることができる。よって、鉤部が掛止部に到達した後に、蓋をスムーズな動きで回動させることができる。
【００１９】
本発明の別態様に係る壁点検口装置は、上記態様であって、前記蓋案内部材は、前記立壁部の上端部分から前記壁裏側に向けて突出形成され、前記掛止部の上方を庇状に覆う庇部を更に有している。
【００２０】
上記態様に係る壁点検口装置では、立壁部の上端部分から壁裏側に向けて庇部が突出形成されているので、掛止部に対して下枠部を確実に掛止することができ、蓋の回動時等に掛止部から下枠部が外れてしまうことを抑制することができる。
【００２１】
本発明の別態様に係る壁点検口装置は、上記態様であって、前記蓋案内部材は、前記立壁部の前記室内側の部分から前記点検口の前記下側周面の一部を覆うように前記室内側に向けて延設された被覆部と、前記被覆部の前記室内側の端部から下方に向けて曲折され、点検口の下側の周囲縁の一部を覆うように形成された外面部と、を更に有する。
【００２２】
上記態様に係る壁点検口装置では、点検口の下側の周囲縁の一部を覆うように外面部を形成しているので、点検口から蓋を取り外す際や取り付ける際などに、外面部により下枠部が点検口の下側の周囲縁に接触することが防止される。よって、上記態様に係る壁点検口装置では、蓋の開閉を繰り返した場合にも、壁における点検口の周囲縁に傷がついたり凹みが生じたりすることをより確実に抑制できる。
【００２３】
また、上記態様に係る壁点検口装置では、点検口の下側周面の一部（室内側の領域）を覆うように被覆部が形成されているので、点検口から蓋を取り外す際や取り付ける際などに、下枠部が点検口の下側周面に接触することも防止される。よって、上記態様に係る壁点検口装置では、蓋の開閉を繰り返した場合にも、壁における点検口の下側周面に傷がついたり凹みが生じたりすることも確実に抑制できる。
【００２４】
本発明の別態様に係る壁点検口装置は、上記態様であって、前記立壁部は、前記壁の厚み方向の中心よりも前記壁裏側に配されている。
【００２５】
上記態様に係る壁点検口装置では、立壁部が壁の厚み方向に中心よりも壁裏側に配された構成を採用しているので、点検口から蓋を取り外す際に、外縁面部（点検口の周囲縁を覆う部分）が点検口の下側の周囲縁に接触するのをより確実に抑制することができる。
【００２６】
本発明の別態様に係る壁点検口装置は、上記態様であって、前記蓋の側枠部には、両先端が前記壁裏側に向けて延びるキックバネが取り付けられており、前記壁における前記点検口の側周面には、前記キックバネの両先端を掛止するバネ受け部材が設けられている。
【００２７】
上記態様に係る壁点検口装置では、蓋の側枠部にキックバネが取り付けられており、壁における点検口の側周面にバネ受け部材が設けられているので、キックバネの先端がバネ受け部材で掛止される箇所で蓋の回動が停止される。
【発明の効果】
【００２８】
上記の各態様に係る壁点検口装置では、蓋の開閉を繰り返した場合にも、壁における点検口の周囲縁に傷がついたり凹みが生じたりすることを抑制することができる。
【図面の簡単な説明】
【００２９】
【図１】実施形態に係る点検口と蓋とを示す模式斜視図である。
【図２】バネ受け部材の構造を示す模式斜視図である。
【図３】蓋案内部材の構造を示す模式斜視図である。
【図４】図３のＩＶ−ＩＶ断面を示す模式断面図である。
【図５】蓋の構造を示す模式側面図である。
【図６】下枠部材の断面構造を示す模式断面図である。
【図７】（ａ）は、点検口を蓋で塞いだ状態を示す模式図であり、（ｂ）は、蓋を回動させ点検口が開いた状態を示す模式図である。
【図８】（ａ）は、点検口を蓋２で塞いだ状態での蓋案内部材に対する下枠部材の配置状態を示す模式図であり、（ｂ）は、下枠部材の鉤部が蓋案内部材の第１傾斜部を登り切り、頂部を超えた状態を示す模式図であり、（ｃ）は、下枠部材の鉤部が蓋案内部材の掛止部に掛止された状態を示す模式図である。
【図９】変形例１に係る蓋案内部材の構造を示す模式断面図である。
【図１０】（ａ）は、変形例２に係る蓋案内部材の構造を示す模式平面図であり、（ｂ）は、（ａ）のＸｂ−Ｘｂ断面を示す模式断面図である。
【発明を実施するための形態】
【００３０】
以下では、本発明の実施形態について、図面を参酌しながら説明する。なお、以下で説明の形態は、本発明の一態様であって、本発明は、その本質的な構成を除き何ら以下の形態に限定を受けるものではない。
【００３１】
［実施形態］
以下の説明で用いる図においては、“＋Ｘ”が室内側を指し、“−Ｘ”が壁裏側を指す。また、“＋Ｙ”が右方側、“−Ｙ”が左方側、“＋Ｚ”が上方側、“−Ｚ”が下方側をそれぞれ指す。
【００３２】
１．壁点検口装置１００の概略構造
実施形態に係る壁点検口装置１００の概略構造について、図１を用い説明する。
【００３３】
図１に示すように、壁１には、＋Ｘ側（室内側）からの平面視で四角形の点検口１ａが開口されている。なお、壁１は、石膏ボードとその室内側（＋Ｘ側）表面に貼着された壁クロスとから構成されている。
【００３４】
壁１の−Ｘ側（壁裏側）には、点検口１ａの開口縁に沿って補強枠部材１１，１２が固定されている。ただし、本実施形態では、点検口１ａの＋Ｚ側となる開口縁に沿う部分の補強枠部材は省略されている。
【００３５】
壁１において、点検口１ａを取り囲むように４周面（上側周面１ｂ、下側周面１ｃ、左側周面１ｄ、右側周面１ｅ）が配されている。換言すると、点検口１ａは、４つの周面１ｂ〜１ｅにより周囲が規定されている。
【００３６】
左側周面１ｄ及び右側周面１ｅには、バネ受け部材１３が取り付けられている（矢印Ａで示す部分を参照）。図１では、図示の都合上、左側周面１ｄに取り付けられたバネ受け部材１３だけを図示している。なお、バネ受け部材１３は、補強枠部材１２にビス止めされている。左側周面１ｄに対するバネ受け部材１３の取り付けについても同様である。
【００３７】
また、下側周面１ｃには、２つの蓋案内部材１４が取り付けられている（矢印Ｂで示す部分を参照）。図１では、図示の都合上、１つの蓋案内部材１４だけを図示している。なお、蓋案内部材１４についても、補強枠部材１１にビス止めされている。
【００３８】
バネ受け部材１３及び蓋案内部材１４の各構成については、後述する。
【００３９】
点検口１ａを塞ぐ蓋２は、平面視で四角形の面部材２０と、その周囲に取り付けられた上枠部材（上枠部）２１、下枠部材（下枠部）２２、左枠部材（左枠部）２３、及び右枠部材（右枠部）２４と、を有する。面部材２０は、壁１と同様に、石膏ボードとその＋Ｘ側（室内側）表面に貼着された壁クロスとから構成されている。枠部材２１〜２４のそれぞれは、表面が電着塗装された金属材料（例えば、アルミニウム合金）で構成されている。
【００４０】
また、蓋２においては、左枠部材２３及び右枠部材２４のそれぞれにキックバネ２５が取り付けられている。なお、図１では、図示の都合上、左枠部材２３に取り付けられたキックバネ２５だけを図示している。キックバネ２５は、点検口１ａから蓋２を取り外す途中の段階で、バネ受け部材１３に掛止されるようになっている。
【００４１】
２．バネ受け部材１３の構造
バネ受け部材１３の構造について、図２を用い説明する。図２は、バネ受け部材１３の構造を示す模式斜視図である。
【００４２】
バネ受け部材１３は金属製の板材（例えば、亜鉛メッキ鋼板）を、打ち抜き加工及び曲折加工することにより形成されている。図２に示すように、バネ受け部材１３は、基部１３ａ、外面部１３ｂ、立上り部１３ｃ，１３ｄ、及び鉤部１３ｅ，１３ｆが一体に設けられてなる。
【００４３】
基部１３ａは、左側周面１ｄ及び右側周面１ｅの各々と、補強枠部材１２とに当接する平板状の部分である。基部１３ａの−Ｘ側の部分には、補強枠部材１２への取り付けのためのビスが挿通する孔１３ｉ，１３ｊが開けられている。
【００４４】
外面部１３ｂは、壁１における点検口１ａの周囲縁に当接する部分であり、基部１３ａに対して＋Ｙ側に略直角に曲折された矩形状の板部である。立上り部１３ｃ，１３ｄは、基部１３ａの−Ｘ側端から−Ｙ側に略直角に曲折された短冊状の板部であり、曲折の向きが外面部１３ｂとは反対となっている。
【００４５】
鉤部１３ｅは、立上り部１３ｃの−Ｚ側の端辺部から−Ｚ側に延びる短冊状の板部であり、鉤部１３ｆは、立上り部１３ｄの＋Ｚ側の端辺部から＋Ｚ側に延びる短冊状の板部である。バネ受け部材１３では、立上り部１３ｃ，１３ｄと鉤部１３ｅ，１３ｆとで形成されるＵ字形状の凹部１３ｇ，１３ｈが、蓋２の着脱時にキックバネ２５が通過する部分となる。
【００４６】
なお、図２に示すように、本実施形態に係るバネ受け部材１３では、立上り部１３ｃ，１３ｄのＺ方向における各幅は、＋Ｙ側から−Ｙ側へ行くに従って漸減するよう形成されている。換言すると、凹部１３ｇは、＋Ｙ側から−Ｙ側へ行くに従って＋Ｚ側に拡がり、凹部１３ｈは、＋Ｙ側から−Ｙ側へ行くに従って拡がるように形成されている。この構成を採用することにより、蓋２を開く際に、その開度が大きくなればなるほど、キックバネ２５がバネ受け部材１３の立上り部１３ｃ１３ｄの内側端辺の−Ｙ側で接触することとなる。このため、蓋２の回動の終端で、点検口１ａの側周面及び補強枠部材１２とキックバネ２５との間に隙間が生じ、キックバネ２５をバネ受け部材１３から外し易い。
【００４７】
３．蓋案内部材１４の構造
蓋案内部材１４の構造について、図３及び図４を用い説明する。図３は、蓋案内部材１４の構造を示す模式斜視図であり、図４は、図３のＩＶ−ＩＶ断面を示す模式断面図である。
【００４８】
なお、上述のように、本実施形態に係る壁点検口装置１００では、壁１の下側周面１ｃには２つの蓋案内部材１４が取り付けられているが、２つとも同じ構造を有する。
【００４９】
蓋案内部材１４も、バネ受け部材１３と同様に、金属製の板材（例えば、亜鉛メッキ鋼板）を用い形成されている。図３に示すように、蓋案内部材１４は、＋Ｚ側からの平面視において、その外形が矩形状をしている。
【００５０】
蓋案内部材１４は、基部１４ａ、第１傾斜部１４ｂ、第２傾斜部１４ｃ、立壁部１４ｄ、被覆部１４ｊ、掛止部１４ｉ、外面部１４ｅ、及び庇部１４ｋを有する。基部１４ａは、補強枠部材１１上に載置される部分であり、補強枠部材１１に対する固定のためのビス挿通のための孔１４ｆが開けられている。
【００５１】
第１傾斜部１４ｂは、−Ｘ側（基部１４ａの側）から＋Ｘ側（第２傾斜部１４ｂの側）に向けて＋Ｚ側へと登り斜面を構成する傾斜部である。逆に、第２傾斜部１４ｃは、−Ｘ側（第１傾斜部１４ｂの側）から＋Ｘ側（立壁部１４ｄの側）に向けて−Ｚ側へと下り斜面を構成する傾斜部である。なお、第１傾斜部１４ｂの傾斜角θ１は、例えば、４０〜５０°である。第２傾斜部１４ｃの傾斜角θ２は、傾斜角θ１よりも小さく、例えば、１０〜２０°である。
【００５２】
図４に示すように、第１傾斜部１４ｂと第２傾斜部１４ｃとが突き合わされる頂部１４ｇは、曲面で構成されている。
【００５３】
図４に示すように、立壁部１４ｄは、第２傾斜部１４ｃの＋Ｘ側端部分から＋Ｚ側に向けて立ち上がる壁部である。なお、図４に示すように、立壁部１４ｄの上端位置は、第１傾斜部１４ｂと第２傾斜部１４ｃとの突合せ箇所（頂部１４ｇ）と略同じ高さ位置（Ｚ方向位置）となっている。
【００５４】
蓋案内部材１４では、第２傾斜部１４ｃの上面と立壁部１４ｄの−Ｘ側面との隅部分に掛止部１４ｉが構成される。掛止部１４ｉの詳細な機能については後述するが、蓋２を取り外す際に下枠部材２２の一部（鉤部）を掛止する部分である。
【００５５】
被覆部１４ｊは、立壁部１４ｄの＋Ｘ側面から＋Ｘ側へと延びる部分である。被覆部１４ｊは、壁１の下側周面１ｃの一部の上方（＋Ｚ側上方）を覆うよう設けられた部分である。なお、被覆部１４ｊの上面は、基部１４ａの下面に対して間隔Ｇをあけて設けられている。なお、間隔Ｇは、例えば、３〜５ｍｍ程度である。
【００５６】
外面部１４ｅは、点検口１ａの周囲縁の一部を覆う部分であり、被覆部１４ｊの＋Ｘ側先端部から曲折され形成されている。被覆部１４ｊの上面と外面部１４ｅの＋Ｘ側面とが突き合わされるコーナー部１４ｈは、曲面で構成されている。
【００５７】
庇部１４ｋは、立壁部１４ｄの上端部分から−Ｙ側（壁裏側）に向けて突出形成されている。庇部１４ｋは、掛止部１４ｉの上方を庇状に覆っている。なお、本実施形態において、庇部１４ｋの上面は、第１傾斜部１４ｂと第２傾斜部１４ｃとの突合せ箇所（頂部１４ｇ）と略同じ高さ位置（Ｚ方向位置）となっている。
【００５８】
４．蓋２の構造
蓋２の構造について、図５を用い説明する。図５は、蓋２を−Ｙ側から側面視した模式側面図である。
【００５９】
図５に示すように、蓋２においては、面部材２０の周囲を囲むように、枠部材２１〜２４が取り付けられている（図５では、図示の都合上、左枠部材２３だけを図示）。枠部材２１〜２４は、蓋２で点検口１ａを塞いだ際に、壁１における点検口１ａの周囲縁を被覆するフランジ部分を有する。
【００６０】
図５の二点鎖線で囲んだ部分に示すように、左枠部材２３のフランジ部分の裏面側（点検口１ａの開口縁に対向する側）には、シールパッキン２７が設けられている。シールパッキン２７は、蓋２で点検口を塞いだ際に気密性が確保できるように、全周に亘って設けられている。
【００６１】
また、左枠部材２３の側面部には、キックバネ２５が取り付けられている。キックバネ２５は、ビス２６を用い取り付けられている。図５に示すように、キックバネ２５は、ビス２６で止められた箇所を中心に−Ｘ側に向けて脚が開いた形状を有する。そして、キックバネ２５の先端部２５ａ，２５ｂは、Ｌ字状又はＪ字状に曲折されている。
【００６２】
左枠部材２３の−Ｘ側の部分には、Ｚ方向に延びる鉤部２３ｄが設けられている。鉤部２３ｄは、紙面手前側をキックバネ２５が通過できるように設けられている。左枠部材２３における鉤部２３ｄの構造は、後述する下枠部材２２の鉤部２２ｄと同じである。
【００６３】
以上のような左枠部材２３の構造については、上枠部材２１、下枠部材２２、及び右枠部材２４についても同様である。
【００６４】
５．下枠部材２２の断面構造
蓋２の下枠部を構成する下枠部材２２の断面構造について、図６を用い説明する。図６は、下枠部材２２をＸ−Ｚ面に沿って切断して示す模式断面図である。
【００６５】
図６に示すように、下枠部材２２は、外縁面部２２ａ、内縁面部２２ｂ、基部２２ｃ、鉤部２２ｄ、及び棚部２２ｅを有する。外縁面部２２ａは、蓋２で点検口１ａを塞いだ際に、壁１における点検口１ａの周囲縁を被覆する部分である。図５の二点鎖線で囲んだ部分に示したように、外縁面部２２ａの−Ｘ側面には、シールパッキン２７が設けられている（図６では、図示を省略）。
【００６６】
内縁面部２２ｂは、面部材２０の外縁部を被覆する部分である。
【００６７】
基部２２ｃは、面部材２０の−Ｚ側端面に沿うようにＸ方向に延びる部分であり、＋Ｘ側端部で外縁面部２２ａ及び内縁面部２２ｂに突き合わされている。なお、基部２２ｃは、蓋２で点検口１ａを塞いだ際に、壁１における点検口１ａの下側周面１ｃに沿って壁裏側に延びるよう形成されている。
【００６８】
鉤部２２ｄは、基部２２ｃの−Ｘ側端部に連続し、壁裏部分において、断面Ｕ字状となっている部分である。なお、鉤部２２ｄは、図５を用い説明した左枠部材２３の鉤部２３ｄと同様に、紙面に垂直な方向（Ｙ方向）に延びるように設けられている。
【００６９】
棚部２２ｅは、基部２２ｃに対して−Ｚ側に間隔を空けて設けられており、−Ｘ側に延びる部分である。
【００７０】
なお、下枠部材２２については、引抜工法や押出工法を用いて一体に形成してもよいし、複数の部材を接合して形成してもよい。
【００７１】
６．蓋２の開閉
本実施形態に係る壁点検口装置１００での蓋２の開閉について、図７を用い概略説明する。図７（ａ）は、点検口１ａを蓋２で塞いだ状態を示す模式図であり、図７（ｂ）は、蓋２を回動させ点検口１ａの上部が開口された状態を示す模式図である。
【００７２】
図７（ａ）に示すように、点検口１ａが蓋２で塞がれた状態では、蓋２の面部材２０が点検口１ａ内に配され、枠部材２１〜２４の一部（外縁面部及び内縁面部）が点検口１ａの外方（＋Ｘ側）に配されている。
【００７３】
図７（ａ）に示す状態では、キックバネ２５は、先端部が壁裏側（−Ｘ側）に侵入した状態となっており、先端部２５ａ，２５ｂが開いた状態となっている。また、点検口１ａが蓋２で塞がれた状態では、シールパッキン２７（図５を参照。）により、枠部材２１〜２４と壁１との間、及び枠部材２１〜２４と面部材２０との間の気密性が確保されている。
【００７４】
なお、点検口１ａが蓋２で塞がれた状態では、点検口１ａの内側において、上枠部材２１と上側周面１ｂ（図１を参照。）との間には、Ｚ方向に間隙が空いた状態となっている。ただし、室内と壁裏との間の気密性は、シールパッキン２７により確保されている。
【００７５】
図７（ｂ）に示すように、蓋２を開く場合には、ユーザは上枠部材２１に指などを引っ掛けて＋Ｘ側に引っ張る。このとき、下枠部材２２は、鉤部２２ｄ（図６を参照。）が蓋案内部材１４の第１傾斜部１４ｂ及び第２傾斜部１４ｃを摺動する。図７（ｂ）は、下枠部材２２の鉤部２２ｄが蓋案内部材１４の掛止部１４ｉで掛止された状態を示している。なお、下枠部材２２の鉤部２２ｄが蓋案内部材１４の第１傾斜部１４ｂ及び第２傾斜部１４ｃを摺動している間は、蓋２の回動が抑制されており、下枠部材２２の鉤部２２ｄが蓋案内部材１４の掛止部１４ｉで掛止された時点から実質的に回動が始まる。
【００７６】
蓋２の回動は、キックバネ２５における＋Ｚ側の先端部２５ａが、バネ受け部材１３の立上り部１３ｃに係止されて停止される。なお、本実施形態では、図７（ｂ）に示す状態での蓋２の傾倒角度θ３は、例えば、２５〜３５°程度である。
【００７７】
７．蓋案内部材１４の機能
蓋案内部材１４の機能について、図８を用い説明する。図８（ａ）は、図７（ａ）の状態での蓋案内部材１４と下枠部材２２とを抜き出して示す模式図であり、図８（ｃ）は、図７（ｂ）の状態での蓋案内部材１４と下枠部材２２とを抜き出して示す模式図であり、図８（ｂ）は、図８（ａ）と図８（ｃ）との間の状態での蓋案内部材１４と下枠部材２２とを抜き出して示す模式図である。
【００７８】
図８（ａ）に示すように、点検口１ａが蓋２で塞がれた状態では、下枠部材２２の基部２２ｃがＸ方向に沿って配され、蓋案内部材１４の被覆部１４ｊ及び外面部１４ｅに対して下枠部材２２の棚部２２ｅ及び外縁面部２２ａが当接した状態となっている。
【００７９】
また、図８（ａ）に示すように、点検口１ａが蓋２で塞がれた状態では、下枠部材２２の基部２２ｃが蓋案内部材１４の頂部１４ｇと立壁部１４ｄの上端部分とで支持された状態となっている。
【００８０】
次に、図８（ｂ）に示すように、ユーザによって蓋２が＋Ｘ側に引っ張られると、下枠部材２２も＋Ｘ側に移動する。このとき、下枠部材２２の鉤部２２ｄは、蓋案内部材１４の第１傾斜部１４ｂを摺動し、頂部１４ｇを超えて第２傾斜部１４ｃを摺動する。そして、下枠部材２２の基部２２ｃは、蓋案内部材１４の立壁部１４ｄの上端部分及び庇部１４ｋの上面に当接しながら（矢印Ｃで指し示す部分）、＋Ｘ側に移動する。即ち、下枠部材２２の鉤部２２ｄが第２傾斜部１４ｃを摺動する際には、下枠部材２２は、第２傾斜部１４ｃと立壁部１４ｄの上端部分及び庇部１４ｋの上面とで支持された状態となっている。
【００８１】
なお、図８（ｂ）に示すように、ユーザが蓋２を取り外す動作を行った場合には、下枠部材２２の棚部２２ｅが蓋案内部材１４の被覆部１４ｊから＋Ｘ側に離間する。このため、図８（ｂ）に示す状態では、上述のように蓋２の回動も抑制されているので、下枠部材２２の外縁面部２２ａの外側端部が壁１に接触するのを抑制することができる。
【００８２】
図８（ｃ）に示すように、ユーザにより蓋２が更に＋Ｘ側に引っ張れた場合には、下枠部材２２の鉤部２２ｄが第２傾斜部１４ｃ上を掛止部１４ｉまで摺動する。このとき、下枠部材２２の基部２２ｃの下面は、蓋案内部材１４の立壁部１４ｄの上端部分に当接した状態となる（矢印Ｄで指し示す部分）。このため、この場合においても、下枠部材２２の外縁面部２２ａの外側端部が壁１に接触するのを抑制することができる。
【００８３】
また、図８（ｃ）の状態において、下枠部材２２の外縁面部２２ａが−Ｚ側に振れたとしても、下枠部材２２の基部２２ｃがコーナー部分１４ｈと当接することで、下枠部材２２の外縁面部２２ａがそれ以上−Ｚ側に振れることが抑制される。このため、外縁面部２２ａが壁１における点検口１ａの周囲縁に接触することが抑制され、該周囲縁に傷がついたり凹みが生じたりするのが抑制される。
【００８４】
また、本実施形態では、Ｘ方向における壁１の厚み方向の中心よりも、立壁部１４ｄが−Ｘ側（壁裏側）に配されるように蓋案内部材１４を配置しているので、これによっても下枠部材２２の外縁面部２２ａが壁１における点検口１ａの周囲縁に接触するのを抑制できる。
【００８５】
さらに、掛止部１４ｉに到達した鉤部２２ｄは、＋Ｚ側が庇部１４ｋで覆われた状態となるため、掛止部１４ｉから不所望に外れるような事態が抑制される。
【００８６】
上述のように、蓋２の回動は、キックバネ２５の先端部２５ａがバネ受け部材１３で掛止された状態となった時点で停止する。
【００８７】
蓋２の開動作は、図７（ｂ）及び図８（ｃ）に示す状態で一旦停止される。蓋２を完全に取り外す場合には、ユーザがキックバネ２５の掛止を解除することで可能となる。
【００８８】
８．効果
本実施形態に係る壁点検口装置１００では、壁１における下側周面１ｃに、第１傾斜部１４ｂと第２傾斜部１４ｃと立壁部１４ｄと掛止部１４ｉとを有する蓋案内部材１４が設けられている。このため、点検口１ａから蓋２を取り外す場合には、蓋２の下枠部材２２が第１傾斜部１４ｂを摺動する区間で、蓋２が上方（＋Ｚ側）に持ち上げられながら＋Ｘ側（室内側）へと案内される。
【００８９】
そして、蓋２の下枠部材２２が第２傾斜部１４ｃを摺動する区間では、蓋２が−Ｚ側（下方）に下がりながら＋Ｘ側（室内側）へと案内される。ここで、下枠部材２２が第２傾斜部１４ｃを摺動する際には、下枠部材２２は立壁部１４ｄの上端部分及び庇部１４ｋの上面でも支持される（図８（ｂ）を参照）。
【００９０】
このように、下枠部材２２が第１傾斜部１４ｂ及び第２傾斜部１４ｃを摺動する際に、下枠部材２２が立壁部１４ｄの上端部分及び庇部１４ｋの上面でも支持されることにより、蓋２の回動が抑制され、当該状態で蓋２の下枠部材２２が壁１における点検口１ａの周囲縁から離間してゆく。よって、下枠部材２２が壁１における点検口１ａの周囲縁に対して接触することが抑制され、点検口１ａの周囲縁に傷がついたり、凹みが生じたりするのを抑制することができる。
【００９１】
従って、本実施形態に係る壁点検口装置１００では、蓋２の開閉を繰り返した場合にも壁１における点検口１ａの周囲縁に傷がついたり凹みが生じたりすることを抑制できる。
【００９２】
また、本実施形態に係る壁点検口装置１００では、図４を用い説明したように、蓋案内部材１４における頂部１４ｇが曲面で構成されているので、蓋２の下枠部材２２が頂部１４ｇを滑らかに通過することができ、蓋をスムーズに取り外すことができる。
【００９３】
また、本実施形態に係る壁点検口装置１００では、蓋案内部材１４における立壁部１４ｄの上端位置を頂部１４ｇと同じ高さ位置としているので、蓋２の下枠部材２２の鉤部２２ｄが第２傾斜部１４ｃを摺動する際に、蓋２が回動し難く、壁１における点検口１ａの周囲の開口縁への下枠部材２２の接触をより確実に回避することができる。
【００９４】
また、本実施形態に係る壁点検口装置１００では、下枠部材２２の鉤部２２ｄが蓋案内部材１４の掛止部１４ｉで掛止されて、当該鉤部２２ｄが蓋２の回動に係る支点となるので、鉤部２２ｄを中心として蓋２を回動させることができる。よって、蓋２をスムーズに回動させることができる。
【００９５】
また、本実施形態に係る壁点検口装置１００では、立壁部１４ｄの上端部分から−Ｘ側（壁裏側）に向けて庇部１４ｋが突出形成されているので、掛止部１４ｉに対して下枠部材２２の鉤部２２ｄを確実に掛止することができ、蓋２の回動時等に掛止部１４ｉから下枠部材２２の鉤部２２ｄが外れてしまうことを抑制することができる。
【００９６】
また、本実施形態に係る壁点検口装置１００では、蓋案内部材１４において、点検口１ａの下側の周囲縁の一部を覆うように外面部１４ｅを形成しているので、点検口１ａから蓋２を取り外す際や取り付ける際などに、蓋案内部材１４の外面部１４ｅにより下枠部材２２の外縁面部２２ａが点検口１ａの下側の周囲縁に接触することが防止される。よって、本実施形態に係る壁点検口装置１００では、蓋２の開閉を繰り返した場合にも、壁１における点検口１ａの周囲縁に傷がついたり凹みが生じたりすることをより確実に抑制できる。
【００９７】
また、本実施形態に係る壁点検口装置１００では、壁１における点検口１ａの下側周面１ｃの一部（室内側の領域）を覆うように被覆部が形成されているので、点検口１ａから蓋２を取り外す際や取り付ける際などに、下枠部材２２が点検口１ａの下側周面１ｃに接触することも防止される。よって、本実施形態に係る壁点検口装置１００では、蓋２の開閉を繰り返した場合にも、壁１における点検口１ａの下側周面１ｃに傷がついたり凹みが生じたりすることも確実に抑制できる。
【００９８】
また、本実施形態に係る壁点検口装置１００では、蓋案内部材１４において、被覆部１４ｊと外面部１４ｅとが突き合わされるコーナー部１４ｈが曲面で構成されているので、点検口１ａから蓋２を取り外す際などにおいて下枠部材２２の基部２２ｃがコーナー部１４ｈに対して摺動するような場合にもスムーズな動きを確保できる。
【００９９】
また、本実施形態に係る壁点検口装置１００では、立壁部１４ｄが壁１の厚み方向（Ｘ方向）に中心よりも−Ｘ側（壁裏側）に配されるように蓋案内部材１４を配置しているので、点検口１ａから蓋２を取り外す際に、下枠部材２２の外縁面部２２ａが点検口１ａの下側の周囲縁に接触するのをより確実に抑制することができる。
【０１００】
また、本実施形態に係る壁点検口装置１００では、蓋２の左右枠部材２３，２４にキックバネ２５が取り付けられており、壁１の左右側周面１ｄ，１ｅにバネ受け部材１３が設けられているので、蓋２の回動の終端が規制されるとともに、急激な蓋２の回動が抑制される。
【０１０１】
［変形例１］
変形例１に係る蓋案内部材３４の構造について、図９を用い説明する。なお、本変形例に係る壁点検口装置は、蓋案内部材３４の構造を除き、上記実施形態に係る壁点検口装置１００と同じ構造を有する。このため、以下では、蓋案内部材３４の構造だけを説明する。
【０１０２】
本変形例に係る蓋案内部材３４も、上記蓋案内部材１４と同様に、金属製の板材（例えば、亜鉛メッキ鋼板）を用い形成されている。また、蓋案内部材３４も、＋Ｚ側からの平面視において、その外形が矩形状をしている。
【０１０３】
図９に示すように、蓋案内部材３４は、基部３４ａ、第１傾斜部３４ｂ、第２傾斜部３４ｃ、立壁部３４ｄ、被覆部３４ｊ、掛止部３４ｉ、及び外面部３４ｅを有する。基部３４ａは、上記蓋案内部材１４と同様に、補強枠部材１１上に載置される部分であり、補強枠部材１１に対する固定のためのビス挿通のための孔３４ｆが開けられている。
【０１０４】
第１傾斜部３４ｂは、−Ｘ側から＋Ｘ側に向けて＋Ｚ側へと登り斜面を構成する傾斜部である。第２傾斜部３４ｃは、−Ｘ側から＋Ｘ側に向けて−Ｚ側へと下り斜面を構成する傾斜部である。なお、第１傾斜部３４ｂの傾斜角及び第２傾斜部３４ｃの傾斜角は、上記蓋案内部材１４と同様である。
【０１０５】
図９に示すように、第１傾斜部３４ｂと第２傾斜部３４ｃとが突き合わされる頂部３４ｇは、蓋案内部材３４においても曲面で構成されている。
【０１０６】
立壁部３４ｄは、第２傾斜部３４ｃの＋Ｘ側端部分から＋Ｚ側に向けて立ち上がる壁部であり、その上端部分が第１傾斜部３４ｂと第２傾斜部３４ｃとの突合せ箇所（頂部３４ｇ）と略同じ高さ位置（Ｚ方向位置）となっている。
【０１０７】
蓋案内部材３４でも、第２傾斜部３４ｃの上面と立壁部３４ｄの−Ｘ側面との隅部分に掛止部３４ｉが構成される。掛止部３４ｉは、図８（ｃ）を用い説明したのと同様に、蓋２を取り外す際に下枠部材２２の一部（鉤部）を掛止する部分である。
【０１０８】
被覆部３４ｊは、立壁部３４ｄの−Ｚ側端部（下端部分）から＋Ｘ側へと延びる部分である（矢印Ｅで指し示す部分）。本変形例に係る蓋案内部材３４では、被覆部３４ｊは、点検口１ａを蓋２で塞いだ状態において、壁１の下側周面１ｃの一部に略密着した状態で被覆する。この点が、上記蓋案内部材１４との構造上の違いである。
【０１０９】
外面部３４ｅは、壁１における点検口１ａの周囲縁を覆う部分であり、被覆部３４ｊの＋Ｘ側先端部から曲折され形成されている。本変形例に係る蓋案内部材３４においても、被覆部３４ｊの上面と外面部３４ｅの＋Ｘ側面とが突き合わされるコーナー部３４ｈは、曲面で構成されている。
【０１１０】
なお、本変形例に係る蓋案内部材３４においても、立壁部３４ｄの上端位置と頂部３４ｇとが、Ｚ方向に略同じ高さ位置となっている。
【０１１１】
また、本変形例に係る蓋案内部材３４においても、立壁部３４ｄの上端部分から−Ｘ側に突出するように庇部を設けることとしてもよい。
【０１１２】
本変形例に係る壁点検口装置は、上記のような構造の蓋案内部材３４を備える点で上記実施形態に係る壁点検口装置１００と異なるが、上記同様の効果を奏することができる。即ち、本変形例に係る壁点検口装置でも、蓋２の開閉を繰り返した場合にも、壁１における点検口１ａの周囲縁に傷がついたり凹みが生じたりすることを抑制できる。
【０１１３】
［変形例２］
変形例２に係る蓋案内部材４４の構造について、図１０を用い説明する。なお、本変形例に係る壁点検口装置も、蓋案内部材４４の構造を除き、上記実施形態に係る壁点検口装置１００と同じ構造を有する。このため、以下においても、蓋案内部材４４の構造だけを説明する。
【０１１４】
本変形例に係る蓋案内部材４４も、上記蓋案内部材１４と同様に、金属製の板材（例えば、亜鉛メッキ鋼板）を用い形成されている。また、図１０（ａ）に示すように、蓋案内部材４４も、＋Ｚ側からの平面視において、その外形が矩形状をしている。
【０１１５】
図１０（ａ）、（ｂ）に示すように、蓋案内部材４４は、基部４４ａ、第１傾斜部４４ｂ、第２傾斜部４４ｃ、立壁部４４ｄ、掛止部４４ｉ、及び外面部４４ｅを有する。基部４４ａは、上記蓋案内部材１４と同様に、補強枠部材１１上に載置される部分であり、補強枠部材１１に対する固定のためのビス挿通のための孔４４ｆが開けられている。
【０１１６】
第１傾斜部４４ｂは、−Ｘ側から＋Ｘ側に向けて＋Ｚ側へと登り斜面を構成する傾斜部である。第２傾斜部４４ｃは、−Ｘ側から＋Ｘ側に向けて−Ｚ側へと下り斜面を構成する傾斜部である。なお、第１傾斜部４４ｂの傾斜角及び第２傾斜部４４ｃの傾斜角は、上記蓋案内部材１４と同様である。
【０１１７】
図１０（ｂ）に示すように、第１傾斜部４４ｂと第２傾斜部４４ｃとが突き合わされる頂部４４ｇは、蓋案内部材４４においても曲面で構成されている。
【０１１８】
本変形例における蓋案内部材４４では、立壁部４４ｄは、第２傾斜部４４ｃの＋Ｘ側端部分が＋Ｚ側に向けて曲折され構成されている。即ち、蓋案内部材４４において、立壁部４４ｄは第２傾斜部４４ｃにのみ連続している。なお、本変形例においても、立壁部４４ｄの上端部分が第１傾斜部４４ｂと第２傾斜部４４ｃとの突合せ箇所（頂部４４ｇ）と略同じ高さ位置（Ｚ方向位置）となっている。
【０１１９】
蓋案内部材４４でも、第２傾斜部４４ｃの上面と立壁部４４ｄの−Ｘ側面との隅部分（曲折の内側部分）に掛止部４４ｉが構成される。掛止部４４ｉも、図８（ｃ）を用い説明したのと同様に、蓋２を取り外す際に下枠部材２２の一部（鉤部）を掛止する部分である。
【０１２０】
ここで、本変形例に係る蓋案内部材４４では、一枚の板材の一部が切り起こされることにより第１傾斜部４４ｂ、第２傾斜部４４ｃ、及び立壁部４４ｄが形成されている。このため、外面部４４ｅは、板材における切り起こされていない＋Ｘ側の部分を−Ｚ側に曲折加工することにより形成されている。曲折は略直角になされており、外面部４４ｅは、点検口１ａの周囲の開口縁に対して、略隙間なく沿う。
【０１２１】
本変形例に係る壁点検口装置についても、上記のような構造の蓋案内部材４４を備える点で上記実施形態に係る壁点検口装置１００と異なるが、上記同様の効果を奏することができる。即ち、本変形例に係る壁点検口装置でも、蓋２の開閉を繰り返した場合にも、壁１における点検口１ａの周囲縁に傷がついたり凹みが生じたりすることを抑制できる。
【０１２２】
なお、本変形例に係る蓋案内部材４４においても、立壁部４４ｄの上端部分から−Ｘ側に突出するように庇部を設けることとしてもよい。
【０１２３】
［その他の変形例］
上記実施形態では、点検口１ａの開口形状を四角形としたが、本発明は、これに限定を受けるものではない。例えば、５角以上の多角形であってもよいし、下辺だけが直線で他が曲線で構成されていてもよい。
【０１２４】
上記実施形態では、立壁部１４ｄの上端部分から−Ｘ側（壁裏側）に向けて突出形成された庇部１４ｋを有する蓋案内部材１４を採用することとしたが、本発明は、これに限定を受けるものではない。蓋案内部材において、庇部は必須の構成ではない。
【０１２５】
上記実施形態では、蓋２に２つのキックバネ２５を取り付けることとしたが、本発明は、これに限定を受けるものではない。例えば、蓋２に１つのキックバネを取り付けることとしてもよい。
【０１２６】
また、キックバネを壁における点検口の周囲の周面に取り付け、バネ受け部材を蓋に取り付けることとしてもよい。
【０１２７】
また、キックバネの代わりにワイヤや紐などを蓋や壁に取り付けることとしてもよい。
【０１２８】
上記実施形態では、補強枠部材１１に蓋案内部材１４を取り付けることとしたが、本発明は、これに限定を受けるものではない。例えば、壁の裏面側にブラケットを固定し、当該ブラケットに蓋案内部材を取り付けることとしてもよい。
【０１２９】
上記実施形態では、壁１の下側周面１ｃに２つの蓋案内部材１４を取り付けることとしたが、本発明は、これに限定を受けるものではない。例えば、１つだけ蓋案内部材を取り付けることとしてもよいし、３つ以上の蓋案内部材を取り付けることとしてもよい。
【０１３０】
上記実施形態では、１枚の面部材２０と４つの枠部材２１〜２４で蓋２を構成することとしたが、本発明は、これに限定を受けるものではない。例えば、蓋全体を一枚の金属板から構成することとしてもよい。
【０１３１】
また、上記実施形態では、枠部材２１〜２４を金属材料の一例であるアルミニウム合金を用い形成することとしたが、本発明は、これに限定を受けるものではない。即ち、セラミックスなどの壁よりも硬い材料からなる枠部材を採用することもできるし、壁よりも柔らかい材料（例えば、樹脂材料）からなる枠部材を採用することもできる。
【０１３２】
上記実施形態では、壁１に対する蓋２のロック構造については、特に言及しなかったが、点検口を塞いだ状態で蓋をロックするための機構を設けることとしてもよい。例えば、プッシュプルリベットなどを用いたり、ビスを用いたりすることが可能である。また、ロック用の鍵部を設けることとしてもよい。
【０１３３】
上記実施形態では、石膏ボードなどの表面に壁クロスを貼り付けた壁１を採用することとしたが、本発明は、これに限定を受けるものではない。例えば、コンクリート製の壁や金属製の壁を採用することもできる。
【０１３４】
なお、金属製の壁を採用する場合であっても、蓋の開閉を繰り返す場合に点検口の周囲の開口縁に傷や凹みが生じることが懸念されるが、本発明の構成を採用することでこのような問題を防ぐことができる。
【符号の説明】
【０１３５】
１  壁
１ａ  点検口
２  蓋
１３  バネ受け部材
１４，３４，４４  蓋案内部材
１４ｂ，３４ｂ，４４ｂ  第１傾斜部
１４ｃ，３４ｃ，４４ｃ  第２傾斜部
１４ｄ，３４ｄ，４４ｄ  立壁部
１４ｅ  外面部
１４ｇ，３４ｇ，４４ｇ  頂部
１４ｈ  コーナー部
１４ｉ，３４ｉ，４４ｉ  掛止部
１４ｋ  庇部
２２  下枠部材
２２ａ  外縁面部
２２ｃ  基部
２２ｄ  鉤部
２２ｅ  棚部
２５  キックバネ
【図１】
2019039193.tif 000003
【図２】
2019039193.tif 000004
【図３】
2019039193.tif 000005
【図４】
2019039193.tif 000006
【図５】
2019039193.tif 000007
【図６】
2019039193.tif 000008
【図７】
2019039193.tif 000009
【図８】
2019039193.tif 000010
【図９】
2019039193.tif 000011
【図１０】
2019039193.tif 000012